(57)【要約】【課題】本発明の課題は、医用画像に異常が発生した場合に、容易かつ速やかに異常の発生原因を特定して、異常の解消を図ることである。【解決手段】撮影開始時に撮影を行う患者の患者ＩＤ、撮影を行う技師の技師ＩＤ、医用画像を記録するカセッテＩＤ、医用画像を記録する撮影装置ＩＤを読み取り、撮影オーダ情報との対応付けを行う。終了後、制御装置２０において、撮影オーダ情報に対応付けられた各識別情報と、医用画像、カセッテＩＤ、読取装置ＩＤとの対応付けを行い、撮影履歴管理ファイル２６１に記憶する。さらに、医用画像に、技師ＩＤ、カセッテＩＤ、撮影装置ＩＤ、読取装置ＩＤを付帯情報として付加させ、撮影オーダ情報と対応付けて管理する。【選択図】      図１
2004275479.tif 000002
【特許請求の範囲】
【請求項１】
撮影オーダ情報と医用画像とを対応付けて管理する制御装置と、前記制御装置から撮影オーダ情報を取得する携帯端末と、を備える医用画像撮影システムであって、
前記携帯端末は、
医用画像を記録したカセッテの識別情報、撮影を行った技師の識別情報、カセッテに医用画像を記録した撮影装置の識別情報のうち少なくとも一つ以上を取得する取得手段と、
前記取得された各識別情報を撮影オーダ情報に対応付けて記憶する記憶手段と、
前記記憶された各識別情報を撮影オーダ情報に対応付けて送信する通信手段と、を備え、
前記制御装置は、
前記撮影オーダ情報に対応付けられた各識別情報を受信する通信手段と、
前記受信した各識別情報を撮影オーダ情報に対応付けて記憶する撮影履歴管理ファイルと、
を備えることを特徴とする医用画像撮影システム。
【請求項２】
医用画像が記録されたカセッテから医用画像とカセッテの識別情報を読み取る読取装置を備え、
前記読取装置は、
前記医用画像にカセッテの識別情報及び当該医用画像の読み取りを行った読取装置の識別情報を対応付けて送信する通信手段を備え、
前記制御装置において、
前記通信手段は、前記カセッテの識別情報及び読取装置の識別情報が対応付けられた医用画像を受信し、
前記撮影履歴管理ファイルは、前記カセッテの識別情報を含む各識別情報に対応付けて前記読取装置の識別情報を記憶し、
前記カセッテの識別情報に基づいて、前記医用画像と撮影オーダ情報とを対応付けて管理する管理手段を備えることを特徴とする請求項１記載の医用画像撮影システム。
【請求項３】
前記管理手段は、前記医用画像に、前記カセッテの識別情報、技師の識別情報、撮影装置の識別情報、読取装置の識別情報のうち少なくとも１つ以上を付帯情報として付加させることを特徴とする請求項２記載の医用画像撮影システム。
【請求項４】
前記制御装置は、
前記医用画像を表示部に表示させる表示制御手段と、
前記表示された医用画像について異常の有無を示すエラー情報を入力させる入力制御手段と、を備え、
前記撮影履歴管理ファイルは、前記医用画像に対応する各識別情報に対応付けて、エラー情報を記憶することを特徴とする請求項１から３の何れか一項に記載の医用画像撮影システム。
【請求項５】
撮影オーダ情報と医用画像とを対応付けて管理する制御装置と、前記制御装置から撮影オーダ情報を取得する携帯端末と、を備える医用画像撮影システムにおける医用画像管理方法であって、
医用画像を記録したカセッテの識別情報、撮影を行った技師の識別情報、カセッテに医用画像を記録した撮影装置の識別情報のうち少なくとも一つ以上を取得する工程と、
前記取得された各識別情報を撮影オーダ情報に対応付けて記憶する工程と、
前記記憶された各識別情報を撮影オーダ情報に対応付けて送信する工程と、
前記撮影オーダ情報に対応付けられた各識別情報を受信する工程と、
前記受信した各識別情報を撮影オーダ情報に対応付けて記憶する工程と、
を含むことを特徴とする医用画像管理方法。
【請求項６】
医用画像が記録されたカセッテから医用画像とカセッテの識別情報を読み取る工程と、
前記医用画像にカセッテの識別情報及び当該医用画像の読み取りを行った読取装置の識別情報を対応付けて送信する工程と、
カセッテの識別情報及び読取装置の識別情報が対応付けられた医用画像を受信する工程と、
前記カセッテの識別情報を含む各識別情報に対応付けて前記読取装置の識別情報を記憶する工程と、
前記カセッテの識別情報に基づいて、前記医用画像と撮影オーダ情報を対応付けて管理する工程と、
を含むことを特徴とする請求項５記載の医用画像管理方法。
【請求項７】
前記医用画像に、前記カセッテの識別情報、技師の識別情報、撮影装置の識別情報、読取装置の識別情報のうち少なくとも１つ以上を付帯情報として付加させる工程を含むことを特徴とする請求項６記載の医用画像管理方法。
【請求項８】
前記医用画像を表示部に表示させる工程と、
前記表示された医用画像について異常の有無を示すエラー情報を入力させる工程と、
前記医用画像に対応する各識別情報に対応付けて、エラー情報を記憶する工程と、
を含むことを特徴とする請求項５から７の何れか一項に記載の医用画像管理方法。
【発明の詳細な説明】
【０００１】
【発明の属する技術分野】
本発明は、医用画像撮影システム及び医用画像管理方法に関するものである。
【０００２】
【従来の技術】
医療の分野においては、例えば、コンピュータ断層画像撮影装置（以下、「ＣＴ（Ｃｏｍｐｕｔｅｄ  Ｔｏｍｏｇｒａｐｈｙ）」と記す）やコンピュータ放射線画像撮影装置（以下、「ＣＲ（Ｃｏｍｐｕｔｅｄ  Ｒａｄｉｏｇｒａｐｈｙ）」と記す）、核磁気共鳴イメージング装置（以下、「ＭＲＩ（Ｍａｇｎｅｔｉｃ  Ｒｅｓｏｎａｎｃｅ  Ｉｍａｇｉｎｇ）」と記す）等を備える医用画像撮影システムが利用されている。この医用画像撮影システムは、被験体である患者を撮影し、その撮影した医用画像をデジタル画像データとして取得するシステムである。
【０００３】
なかでも、放射線画像撮影装置は、支持体上に輝尽性蛍光体層を形成した医用画像変換パネルを使用するもので、この変換パネルの輝尽性蛍光体層に被写体を透過した放射線を吸収させ、被写体各部の放射線透過度に対応する放射線エネルギーを蓄積させて潜像を形成する。その後、この蛍光体層を赤外線等の輝尽励起光で走査することにより蓄積された放射線エネルギーを蛍光として放射させてその蛍光を光電変換し、医用画像信号を得るものである。このようにして取得された医用画像は画像処理を施された後にフィルム、或いはＣＲＴ等の出力装置に出力されて可視化されたり、サーバ等のファイリング装置に患者の情報とともに保存され、医療活動に利用されている。
【０００４】
このような放射線画像撮影装置を利用した医用画像撮影システムには、大きく分けて二つのシステム構成がとられる。一つは、画像の撮影及び読み取りを行う装置と、輝尽性蛍光体プレートとを撮影室、又は、撮影室近傍に設置し、撮影室にて撮影を行う従来の医用画像撮影システムである。このシステムにおいては、撮影室にて撮影と同時に画像の読み取りを行うことができる。
【０００５】
もう一つは、骨折や脳血管疾患等の患者や集中治療室にて管理中の患者等、撮影室にて撮影が行えない患者の為に、回診用の移動可能な撮影装置と、蛍光体プレートを内蔵した持ち運び可能なカセッテとを利用して、回診先において撮影を行う医用画像撮影システムである（例えば、特許文献１参照）。このシステムにおいては、撮影後にカセッテ専用の読取装置にカセッテを挿入し、撮影した画像の読み取りを行う。
【０００６】
このような医用画像撮影システムにおいては、上述したように撮影室に設置される撮影読取装置、移動可能な撮影装置、カセッテ専用の読取装置等、複数の装置が利用される。そこで、異なる撮影装置や読取装置を利用した場合でも、同一の画質により医用画像を提供できるように、撮影された画像データには、画像処理に必要な情報が付帯情報として付加される（例えば、特許文献２参照）。あるいは、このようなシステムに拡張性を持たせるため、画像データに付加させる付帯情報の編集が可能な医用情報制御装置が知られている（例えば、特許文献３参照）。
【０００７】
【特許文献１】
特開２０００−１３９８８８号公報
【特許文献２】
特開昭６２−１５０４７４号公報
【特許文献３】
特開２００２−１３３３９４号公報
【０００８】
【発明が解決しようとする課題】
ところで、従来の医用画像撮影システムにおいては、上述したように複数の装置が利用されるため、撮影された医用画像に異常が発生した場合に、一連の撮影工程のうち、どの工程で異常が発生したかを特定することが困難であった。すなわち、従来の医用画像撮影システムにおいては、画像データに付加される付帯情報は、高画質な画像形成を目的として付加される情報であり、異常発生の原因追及に利用できるものではなかった。
【０００９】
また、異常の発生する原因は、撮影装置や読取装置等の装置の不具合だけでなく、例えば、回診先において撮影を行う医用画像撮影システムを利用した場合、回診先の撮影環境、使用したカセッテ等に拠る場合もある。あるいは、撮影を行う技師の技量に拠っても、異常の発生の原因となる場合がある。
【００１０】
本発明の課題は、医用画像に異常が発生した場合に、容易かつ速やかに異常の発生原因を特定して、迅速に異常を解消できる医用画像撮影システム及び医用画像管理方法を提供することである。
【００１１】
【課題を解決するための手段】
上記課題を解決するために、請求項１記載の発明は、
撮影オーダ情報と医用画像とを対応付けて管理する制御装置と、前記制御装置から撮影オーダ情報を取得する携帯端末と、を備える医用画像撮影システムであって、
前記携帯端末は、
医用画像を記録したカセッテの識別情報、撮影を行った技師の識別情報、カセッテに医用画像を記録した撮影装置の識別情報のうち少なくとも一つ以上を取得する取得手段と、
前記取得された各識別情報を撮影オーダ情報に対応付けて記憶する記憶手段と、
前記記憶された各識別情報を撮影オーダ情報に対応付けて送信する通信手段と、を備え、
前記制御装置は、
前記撮影オーダ情報に対応付けられた各識別情報を受信する通信手段と、
前記受信した各識別情報を撮影オーダ情報に対応付けて記憶する撮影履歴管理ファイルと、
を備えることを特徴とする。
【００１２】
したがって、撮影オーダ情報に対応付けて、撮影を行った技師の識別情報、医用画像を記録したカセッテの識別情報、医用画像を記録した撮影装置の識別情報が記憶されるため、撮影に関与した技師、カセッテ、撮影装置を速やかに特定することができる。これにより、医用画像に異常が発生した場合に、撮影履歴管理ファイルに基づいて、撮影に関与した技師、カセッテ、撮影装置の何れかに原因があるのかを特定することができ、速やかに異常発生の原因を解消することができる。
【００１３】
請求項２記載の発明は、請求項１記載の医用画像撮影システムにおいて、
医用画像が記録されたカセッテから医用画像とカセッテの識別情報を読み取る読取装置を備え、
前記読取装置は、
前記医用画像にカセッテの識別情報及び当該医用画像の読み取りを行った読取装置の識別情報を対応付けて送信する通信手段を備え、
前記制御装置において、
前記通信手段は、前記カセッテの識別情報及び読取装置の識別情報が対応付けられた医用画像を受信し、
前記撮影履歴管理ファイルは、前記カセッテの識別情報を含む各識別情報に対応付けて前記読取装置の識別情報を記憶し、
前記カセッテの識別情報に基づいて、前記医用画像と撮影オーダ情報とを対応付けて管理する管理手段を備えることを特徴とする。
【００１４】
したがって、撮影オーダ情報に対応付けて、撮影に関与した技師、カセッテ、撮影装置、読取装置を撮影履歴管理ファイルに記憶させて、管理するとともに、撮影オーダ情報に対応付けて医用画像を管理することができる。これにより、例えば、医用画像に異常が発生した場合、撮影履歴管理ファイルに基づいて、撮影に関与した技師、カセッテ、撮影装置、読取装置等、種々の要因となる要素を検証して異常の原因を探索することができ、確実に異常発生の原因を解消することができる。
【００１５】
請求項３記載の発明は、請求項２記載の医用画像撮影システムにおいて、
前記管理手段は、前記医用画像に、前記カセッテの識別情報、技師の識別情報、撮影装置の識別情報、読取装置の識別情報のうち少なくとも１つ以上を付帯情報として付加させることを特徴とする。
【００１６】
したがって、医用画像に、カセッテの識別情報、技師の識別情報、撮影装置の識別情報、読取装置の識別情報を付帯情報として付加させ、撮影オーダ情報と対応付けて管理することができるため、医用画像と、各識別情報との対応関係を明確にすることができ、情報の紛失を防止することができる。
【００１７】
請求項４記載の発明は、請求項１から３の何れか一項に記載の医用画像撮影システムにおいて、
前記制御装置は、
前記医用画像を表示部に表示させる表示制御手段と、
前記表示された医用画像について異常の有無を示すエラー情報を入力させる入力制御手段と、を備え、
前記撮影履歴管理ファイルは、前記医用画像に対応する各識別情報に対応付けて、エラー情報を記憶することを特徴とする。
【００１８】
したがって、異常が発生した医用画像について、異常の有無を記憶することにより、異常が発生した医用画像に基づいて異常の原因を統計的に抽出することができ、容易かつ効率良く医用画像に生じた異常の原因を究明することができる。
【００１９】
請求項５記載の発明は、
撮影オーダ情報と医用画像とを対応付けて管理する制御装置と、前記制御装置から撮影オーダ情報を取得する携帯端末と、を備える医用画像撮影システムにおける医用画像管理方法であって、
医用画像を記録したカセッテの識別情報、撮影を行った技師の識別情報、カセッテに医用画像を記録した撮影装置の識別情報のうち少なくとも一つ以上を取得する工程と、
前記取得された各識別情報を撮影オーダ情報に対応付けて記憶する工程と、
前記記憶された各識別情報を撮影オーダ情報に対応付けて送信する工程と、
前記撮影オーダ情報に対応付けられた各識別情報を受信する工程と、
前記受信した各識別情報を撮影オーダ情報に対応付けて記憶する工程と、
を含むことを特徴とする。
【００２０】
請求項６記載の発明は、請求項５記載の医用画像管理方法において、
医用画像が記録されたカセッテから医用画像とカセッテの識別情報を読み取る工程と、
前記医用画像にカセッテの識別情報及び当該医用画像の読み取りを行った読取装置の識別情報を対応付けて送信する工程と、
カセッテの識別情報及び読取装置の識別情報が対応付けられた医用画像を受信する工程と、
前記カセッテの識別情報を含む各識別情報に対応付けて前記読取装置の識別情報を記憶する工程と、
前記カセッテの識別情報に基づいて、前記医用画像と撮影オーダ情報を対応付けて管理する工程と、
を含むことを特徴とする。
【００２１】
請求項７記載の発明は、請求項６記載の医用画像管理方法において、
前記医用画像に対応付けて、前記カセッテの識別情報、技師の識別情報、撮影装置の識別情報、読取装置の識別情報のうち少なくとも１つ以上を付帯情報として付加させる工程を含むことを特徴とする。
【００２２】
請求項８記載の発明は、請求項５から７の何れか一項に記載の医用画像管理方法において、
前記医用画像を表示部に表示させる工程と、
前記表示された医用画像について異常の有無を示すエラー情報を入力させる工程と、
前記医用画像に対応する各識別情報に対応付けて、エラー情報を記憶する工程と、
を含むことを特徴とする。
【００２３】
【発明の実施の形態】
以下、図を参照して本発明の実施の形態を詳細に説明する。ただし、発明の範囲は、図示例に限定されない。なお、以下では、本発明に特徴的な実施の形態の一例として、持ち運び可能な携帯端末と、移動可能な撮影装置とを利用した、回診先にて撮影を行う医用画像撮影システムについて説明を行う。
【００２４】
まず、本実施の形態の構成を説明する。
図１は、本発明に係る医用画像撮影システム１００のシステム構成を示す概念図である。図１に示すように、医用画像撮影システム１は、携帯端末１０、通信端末１０−１、制御装置２０、医用画像読取装置３０、ポータブル撮影装置４０、カセッテ５０、情報管理装置６０等から構成されている。また、制御装置２０、医用画像読取装置３０及び情報管理装置６０は、ネットワークＮを介して接続されており、携帯端末１０及び制御装置２０は、通信端末１０−１を介して接続可能な構成となっている。
【００２５】
携帯端末１０は、ポータブル撮影装置４０を操作する技師等が携帯する携帯型情報端末装置であり、後述する通信端末１０−１を介して制御装置２０と通信を行う。また、携帯端末１０は、制御装置２０から撮影オーダ情報を取得して表示するが、複数患者の撮影オーダがある場合、撮影オーダ情報の中から所望の患者ＩＤに対応する撮影オーダ情報を検索して表示する。また、携帯端末１０は、撮影開始時に、技師の識別情報（以下「技師ＩＤ」と記す）、カセッテ５０の識別情報（以下、「カセッテＩＤ」と記す）、撮影装置の識別情報（以下、「撮影装置ＩＤ」と記す）を取得し、撮影オーダ情報に対応付けて記憶する。
【００２６】
通信端末１０−１は、ケーブル等を介して制御装置２０と接続され、通信端末１０−１に装着された携帯端末１０と制御装置２０との間でデータの送受信を制御する。例えば、通信端末１０−１は、制御装置２０から携帯端末１０への撮影オーダ情報の送信を制御したり、携帯端末１０から制御装置２０への技師ＩＤ、カセッテＩＤ及び撮影装置ＩＤの送信を制御する。
【００２７】
制御装置２０は、情報管理装置６０から撮影オーダ情報を受信し、受信した撮影オーダ情報に基づいて医用画像を管理するとともに、携帯端末１０及び医用画像読取装置３０から受信する情報に基づいて医用画像の撮影履歴を管理する装置である。例えば、制御装置２０は、情報管理装置６０から受信した撮影オーダ情報を通信端末１０−１を介して携帯端末１０に送信する。また、制御装置２０は、撮影終了後、携帯端末１０から撮影オーダ情報に対応付けられた技師ＩＤ、カセッテＩＤ及び撮影装置ＩＤを受信する。
【００２８】
また、制御装置２０は、医用画像読取装置３０から、医用画像と、医用画像に対応付けられたカセッテＩＤ及び読取装置の識別情報（以下、「読取装置ＩＤ」と記す）を受信する。そして、制御装置２０は、撮影オーダ情報に基づいて、医用画像、技師ＩＤ、カセッテＩＤ、撮影装置ＩＤ、読取装置ＩＤ等を対応付けて管理する。また、制御装置２０は、医用画像、技師ＩＤ、カセッテＩＤ、撮影装置ＩＤ、読取装置ＩＤを撮影オーダ情報に対応付けて情報管理装置６０に送信する。
【００２９】
医用画像読取装置３０は、カセッテ５０に記録された医用画像を読み取る医用画像読取装置である。医用画像読取装置３０は、カセッテ５０の輝尽性蛍光体シートに励起光を照射し、これによりシートから発光される輝尽光を光電変換し、得られた画像信号をＡ／Ｄ変換して、医用画像を取得する。また、医用画像読取装置３０は、カセッテ５０に付帯するカセッテＩＤを読み取り、医用画像と、カセッテＩＤ及び自装置の読取装置ＩＤとを対応付けて制御装置２０に送信する。
【００３０】
ポータブル撮影装置４０は、移動可能な医用画像撮影装置であり、回診先において患者の撮影を行い、装置本体に着脱可能なカセッテ５０に医用画像を記録する。カセッテ５０は、放射線エネルギーの一部を蓄積する輝尽性蛍光体シートを内蔵しており、放射線源から照射され、照射線源とカセッテとの間に配置される被験体を通過した照射エネルギーの一部を上記輝尽性蛍光体シートに蓄積する。なお、カセッテ５０の表面には、カセッテ５０の識別情報となるカセッテＩＤを記録するバーコード等が付されている。
【００３１】
情報管理装置６０は、医師から指示された撮影オーダ情報を一括して管理する端末であり、制御装置２０からの要求指示に応じて、撮影オーダ情報を抽出し、制御装置２０に抽出した撮影オーダ情報を送信する。なお、他の情報管理装置として、撮影オーダ情報の予約受付を行う受付装置（図示せず）を適用しても良く、ＨＩＳ（Ｈｏｓｐｉｔａｌ  Ｉｎｆｏｒｍａｔｉｏｎ  Ｓｙｓｔｅｍ）やＲＩＳ（Ｒａｄｉｏｌｏｇｙ  Ｉｎｆｏｒｍａｔｉｏｎ  Ｓｙｓｔｅｍ）等の情報管理システムを適用することとしてもよい。
【００３２】
ネットワークＮは、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）、インターネット等の様々な回線形態を適用可能である。なお、病院等の医療機関内で許可されるのであれば、無線通信や赤外線通信であってもよいが、撮影オーダ情報を送受信する際には重要な患者情報を含むため、撮影オーダ情報は暗号化することが好ましい。
【００３３】
次に、本発明において主要な構成要素となる各装置について詳細に説明する。図２は、携帯端末１０の機能的構成を示すブロック図である。図２に示すように、携帯端末１０は、ＣＰＵ１１、操作部１２、表示部１３、通信手段としてのＩ／Ｆ１４、ＲＡＭ１５、記憶手段としての記憶装置１６、取得手段としてのバーコードリーダ１７等から構成され、各部はバス１８により接続されている。
【００３４】
ＣＰＵ（Ｃｅｎｔｒａｌ  Ｐｒｏｃｅｓｓｉｎｇ  Ｕｎｉｔ）１１は、記憶部１６に格納されているシステムプログラム及び各種アプリケーションプログラムの中から指定されたプログラムをＲＡＭ１５に展開し、当該プログラムに従って携帯端末１０の各部を集中制御する。
【００３５】
具体的にＣＰＵ１１は、記憶装置１６から撮影準備処理処理プログラム、撮影開始処理プログラムを読み出して、後述する撮影準備処理（図６（ｂ）参照）、撮影開始処理（図１０参照）を実行する。なお、各処理の詳細については後述する。
【００３６】
操作部１２は、カーソルキー、数字キー及び各種機能キー等を備えて構成され、撮影者により押下されたキーに対応する押下信号をＣＰＵ１１に出力する。また、操作部１２は、ジョグダイアルキーを備え、ジョグダイアルキーの操作に応じて表示部１３に表示された情報をスクロール（移動）させるための指示信号をＣＰＵ１１に出力する。また、ジョグダイアルキーが押下されると、表示されている情報に対する押下信号をＣＰＵ１１に出力する。なお、操作部１２は、必要に応じてタッチパネル等のポインティングデバイスや、その他の入力装置を備えるものとしてもよい。
【００３７】
表示部１３は、ＬＣＤ（Ｌｉｑｕｉｄ  Ｃｒｙｓｔａｌ  Ｄｉｓｐｌａｙ）等による表示ディスプレイを備えた表示手段であり、ＣＰＵ１１からの表示指示に基づいて撮影オーダ情報や、取得した患者ＩＤ，技師ＩＤ，カセッテＩＤ，撮影装置ＩＤ等の各種情報を表示する。
【００３８】
Ｉ／Ｆ１４は、携帯端末１０と通信端末１０−１とを接続するためのインターフェースであり、携帯端末１０が通信端末１０−１に装着されると、検出信号をＣＰＵ１１に出力する。また、Ｉ／Ｆ１４は、通信端末１０−１を介して、携帯端末１０と制御装置２０との間で、データの転送速度の調整や、データ形式の変換を行い、両者間のデータのやりとりを仲介する。
【００３９】
例えば、Ｉ／Ｆ１４は、制御装置２０から撮影オーダ情報を受信するとともに、撮影終了後、撮影オーダ情報に対応づけられた技師ＩＤ、カセッテＩＤ、撮影装置ＩＤを、制御装置２０に送信する。なお、Ｉ／Ｆ１４は、必要に応じてＰＨＳ等の携帯電話端末を接続し、無線通信を確立してデータの送受信を行う構成であってもよい。
【００４０】
ＲＡＭ（Ｒａｎｄｏｍ  Ａｃｃｅｓｓ  Ｍｅｍｏｒｙ）１５は、前述の指定されたアプリケーションプログラム、入力指示、入力データ及び処理結果等を格納するワークメモリエリアを有する。
【００４１】
記憶装置１６は、プログラムやデータが予め記憶されている記憶媒体（図示せず）を有しており、この記憶媒体は、システムプログラム、当該システムプログラムに対応する各種アプリケーションプログラム及び各種処理プログラムで処理されたデータ等を記憶する。また、この記憶媒体は磁気的、光学的記憶媒体又は半導体メモリで構成され、記憶装置１６に固定的に設けられるもの又は着脱自在に装着するものである。
【００４２】
また、記憶装置１６は、制御装置２０から受信した撮影オーダ情報を格納するための撮影オーダ情報ファイル１６１を記憶している。図３を参照して撮影オーダ情報ファイル１６１について説明する。図３は、撮影オーダ情報ファイル１６１のデータ構成例を示す図である。図３に示すように、撮影オーダ情報ファイル１６１は、撮影ＩＤ、患者ＩＤ、氏名、性別、年齢、病室、依頼科、撮影部位、撮影枚数を格納する項目と、撮影開始時に取得される技師ＩＤ、カセッテＩＤ、撮影装置ＩＤを格納するための項目を有し、撮影オーダ情報毎に各項目に対応するデータを格納する。
【００４３】
撮影ＩＤの項目には、撮影を特定するために一義的に割り当てられた識別コード（例えば、２００２０１０１００１、２００２０１０１００２、２００２０１０１００３、…）が格納される。患者ＩＤの項目には、撮影を受ける患者を特定するために一義的に割り当てられた識別コード（例えば、１００００００２、１０００００５、…）が格納される。氏名の項目には、撮影対象となる患者の名前を示す文字情報が格納され、性別の項目には、撮影対象となる患者の性別を示す文字情報が格納される。年齢の項目には、撮影対象となる患者の年齢が数字情報により格納され、病室の項目には、撮影場所となる病室を示す文字情報が格納される。
【００４４】
依頼科の項目には、撮影を依頼した依頼科を示す文字情報が格納され、撮影部位の項目には、撮影部位を示す情報（例えば、頭蓋骨Ａ→Ｐ、頭蓋骨Ｐ→Ａ、胸部Ｐ→Ａ、…）が格納され、撮影枚数の項目には、撮影する医用画像の枚数が数字情報（例えば、３，４，５，…）により格納される。
【００４５】
技師ＩＤの項目には、撮影を行った技師を特定するために一義的に割り当てられた識別コード（例えば、技師の所持するＩＤカード等に付されたバーコードから読み取られる情報）が格納される。カセッテＩＤの項目には、撮影を行ったカセッテを特定するために一義的に割り当てられた識別コード（例えば、カセッテ５０に付されたバーコード等から読み取られる情報）が格納される。撮影装置ＩＤの項目には、撮影を行ったポータブル撮影装置４０を特定するために一義的に割り当てられた識別コード（例えば、ポータブル撮影装置４０に付されたバーコード等から読み取られる情報）が格納される。
【００４６】
なお、上述した技師ＩＤ、カセッテＩＤ、撮影装置ＩＤのデータは撮影前においては撮影オーダ情報ファイル１６１には格納されておらず、撮影開始時にバーコードリーダ１７により読み取られた各データが格納される構成となっている。
【００４７】
また、撮影オーダ情報には、患者情報として患者ＩＤ、氏名、性別、年齢の他、例えば、担当医師名、感染症等を警告する警告情報、薬物アレルギーの有無、妊娠の有無、追加病歴、車椅子や担架等の特別な介護の必要性、臨床診断名、守秘事項等の各種患者情報が格納される構成であっても良い。また、撮影情報として撮影部位、撮影装置、枚数の他、例えば、撮影方法（単純撮影、造影撮影等）、撮影予定日等の各種撮影情報が格納される構成であっても良い。
【００４８】
バーコードリーダ１７は、技師ＩＤ、カセッテＩＤ、撮影装置ＩＤ等を取得するための取得手段の一例であり、光学的な読み取り装置であるスキャナを備えている。バーコードリーダ１７は、スキャナにてバーコードを読み取り、所定の規格に従ってデコードすることにより、バーコードが示す情報を取得する。例えば、バーコードリーダ１７は、撮影を行う際に技師のＩＤカード等に付帯するバーコードを読み取り技師ＩＤを取得し、医用画像を記録するカセッテ５０に付帯されたバーコードを読み取りカセッテＩＤを取得する。
【００４９】
また、バーコードリーダ１７は、患者のベッドサイド又は患者の身体の一部に付帯されたバーコードを読み取り、患者ＩＤを取得し、撮影装置に付帯するバーコードを読み取り、撮影装置ＩＤを取得する。なお、所定の規格とは、ＪＡＮコード、ＵＰＣコード、ＣＯＤＥ３９、ＣＤＥ９３、ＣＯＤＥ１２８、ＮＷ−７、ＩＮＤＵＳＴＲＩＡＬ  ２ｏｆ５、ＩＴＦ物流コード等である。
【００５０】
図４は、制御装置２０の機能的構成を示すブロック図である。図４に示すように、制御装置２０は、ＣＰＵ２１、入力部２２、表示部２３、通信制御部２４、ＲＡＭ２５、記憶装置２６、Ｉ／Ｆ２７等を備えて構成され、各部はバス２８により接続されている。
【００５１】
ＣＰＵ２１は、記憶装置２６に記憶されているシステムプログラムや各種制御プログラムを読み出し、ＲＡＭ２５に展開し、該制御プログラムに従って各部の動作を集中制御する。また、ＣＰＵ２１は、ＲＡＭ２５に展開したプログラムに従って各種処理を実行し、その処理結果をＲＡＭ２５に一時記憶させるとともに、表示部２３に表示させる。
【００５２】
具体的に、ＣＰＵ２１は、記憶装置２６から撮影準備処理プログラム、撮影終了後処理プログラムを読み出して、後述する撮影準備処理（図５（ｂ）参照）、撮影終了後処理（図７（ａ）参照）を実行する。
【００５３】
入力部２２は、カーソルキー、数字入力キー、及び各種機能キー等を備えたキーボードを含み、このキーボードで押下されたキーに対応する押下信号をＣＰＵ２１に出力する。なお、入力部２２は、必要に応じてマウス、タッチパネル等のポインティングデバイスや、その他の入力装置を備えることとしてもよい。
【００５４】
表示部２３は、ＬＣＤやＣＲＴ（Ｃａｔｈｏｄｅ  Ｒａｙ  Ｔｕｂｅ）等により構成され、ＣＰＵ２１から入力される表示信号の指示に従って、入力部２２からの入力指示やデータ等を表示する。
【００５５】
通信制御部２４は、ＬＡＮアダプタやルータやＴＡ（Ｔｅｒｍｉｎａｌ  Ａｄａｐｔｅｒ）等によって構成され、専用線、或いはＩＳＤＮ回線等の通信回線を介してネットワークＮに接続された各装置との間の通信を制御する。
【００５６】
ＲＡＭ２５は、ＣＰＵ１１により実行制御される各種処理において、記憶部装置２６から読み出されたＣＰＵ２１で実行可能なシステムプログラム、制御プログラム、入力若しくは出力データ、及びパラメータ等の一時的に記憶する記憶領域を形成する。
【００５７】
記憶装置２６は、ＨＤＤ（Ｈａｒｄ  Ｄｉｓｃ  Ｄｒｉｖｅ）や不揮発性の半導体メモリ等により構成され、ＣＰＵ２１で実行されるシステムプログラム、当該システムプログラムに対応する各種処理プログラム、及び処理結果等を記憶する。また、プログラムやデータが予め記憶された記録媒体（図示省略）を有しており、この記録媒体は、磁気的、光学的記録媒体、もしくは半導体メモリで構成され、記憶装置２６に固定的、或いは着脱自在に装着するものである。これらの各種プログラムは、読取可能なプログラムコードの形態で格納され、ＣＰＵ２１は、当該プログラムコードに従った動作を逐次実行する。
【００５８】
また、記憶装置２６は、情報管理装置６０から受信した撮影オーダ情報を記憶するための撮影オーダ情報ファイル（図示せず）と、医用画像の撮影履歴を管理するための撮影履歴管理ファイル２６１とを格納している。なお、撮影オーダ情報ファイルは、上述した撮影オーダ情報ファイル１６１（図３参照）と略同一の構成によってなるため、図示及び詳細な説明を省略する。図５を参照して、撮影履歴管理ファイル２６１について説明する。
【００５９】
図５は、撮影履歴管理ファイル２６１のデータ構成例を示す図である。図５に示すように、撮影履歴管理ファイル２６１には、撮影ＩＤ、撮影日時、技師ＩＤ、カセッテＩＤ、撮影装置ＩＤ、読み取り装置ＩＤ、エラーフラグを格納する項目が設けられている。
【００６０】
撮影ＩＤの項目には、上述した撮影オーダ情報ファイル１６１に記憶されている撮影オーダ情報を一義的に特定する識別コード（例えば、２００２０１０１００１，…）が格納され、撮影ＩＤにより、上述した撮影オーダ情報と対応付けが行われる。撮影日時の項目には、医用画像が撮影された日時を示す情報（例えば、２００３／３／３，…）が格納される。
【００６１】
技師ＩＤの項目には、医用画像を撮影した技師を一義的に特定する識別情報（例えば、ｓａｔｏ１２３４，…）が格納され、カセッテＩＤの項目には、医用画像が格納されていたカセッテを一義的に特定する識別情報（例えば、０４０００１０８０２２０１６，…）が格納される。撮影装置ＩＤの項目には、医用画像を撮影した撮影装置、又はポータブル撮影装置４０を一義的に特定する識別情報（例えば、Ａ１０１０１０，…）が格納される。
【００６２】
読取装置ＩＤの項目には、医用画像をカセッテ５０から読み取った医用画像読取装置４０を一義的に特定する識別情報（例えば、Ｅ１１００１０１，…）が格納され、エラーフラグの項目には、医用画像におけるエラーの発生の有無を示すチェックフラグが入力される。
【００６３】
なお、上述した撮影ＩＤ、撮影日時、技師ＩＤ、カセッテＩＤ及び撮影装置ＩＤは、後述する撮影終了後処理において、携帯端末１０から送信される情報であり、読取装置ＩＤは、医用画像読取装置４０から送信される情報である。また、エラーフラグのチェックの有無は、撮影終了後処理において、技師により入力される情報である。なお、撮影履歴管理ファイル２６１に記憶される情報は、上述した例に限定されず、その他必要に応じて種々の情報を記憶可能である。
【００６４】
Ｉ／Ｆ２７は、制御装置２０と通信端末１０−１とを接続するためのインターフェースであり、携帯端末１０が通信端末１０−１に装着されたことを検出すると、検出信号をＣＰＵ１１にする。また、Ｉ／Ｆ２７は、通信端末１０−１を介して、制御装置２０と携帯端末１０との間で、データの転送速度の調整や、データ形式の変換を行い、両者間のデータのやりとりを仲介する。例えば、Ｉ／Ｆ１４は、撮影開始前の携帯端末１０に撮影オーダ情報を送信するとともに、撮影終了後の携帯端末１０から撮影オーダ情報に対応付けられた技師ＩＤ、カセッテＩＤ、撮影装置ＩＤを受信する。
【００６５】
続いて、医用画像読取装置３０について説明する。なお、医用画像読取装置４０の機能的構成は、上述した制御装置２０と略同様の構成によってなるため、同一部分には対応する符号を付し、図示及び詳細な説明は省略する。すなわち、医用画像読取装置３０は、ＣＰＵ３１、入力部３２、表示部３３、通信制御部３４、ＲＡＭ３５、記憶装置３６、画像読取部３７、バーコードリーダ３８等を備えて構成され、各部はバス３９により接続されている。
【００６６】
画像読取部３７は、カセッテ５０の輝尽性蛍光体層に励起光を照射して、蓄積された放射線エネルギーに相当する蛍光を発光させ、当該発光させた蛍光を光電変換して、放射線画像データを取得する。
【００６７】
バーコードリーダ３８は、カセッテＩＤを取得する取得手段の一例であり、光学的な読み取り装置であるスキャナを備えている。バーコードリーダ３８は、画像読取部３７に装着されたカセッテ５０の表面に付されたバーコードを読み取り、カセッテＩＤを取得する。
【００６８】
ＣＰＵ３１は、画像読取部３７により読み取られた医用画像と、バーコードリーダ３８により読み取られたカセッテＩＤと、医用画像の読み取りを行った医用画像撮影装置、すなわち自装置を一義的に特定する読取装置ＩＤとを取得し、通信制御部３４を制御して、医用画像にカセッテＩＤ及び読取装置ＩＤを対応付けて制御装置２０に送信する。ここで、医用画像に対応付けられるカセッテＩＤ及び読取装置ＩＤは、例えば、ＤＩＣＯＭ（Ｄｉｇｉｔａｌ  Ｉｍａｇｉｎｇ  ａｎｄ  Ｃｏｍｍｕｎｉｃａｔｉｏｎｓ
Ｍｅｄｉｃｉｎｅ）規格に基づいて伝送されることが望ましい。
【００６９】
次に、本実施の形態の動作を説明する。
なお、後述するフローチャートに記述されている各機能を実現するためのプログラムはコンピュータが読み取り可能なプログラムコードの形態で携帯端末１０の記憶装置１６、制御装置２０の記憶装置２６又は医用画像読取装置３０の記憶装置３６に格納されており、携帯端末１０のＣＰＵ１１、制御装置２０のＣＰＵ２１又は医用画像読取装置３０のＣＰＵ３１は、当該プログラムコードに従った動作を逐次実行する。
【００７０】
まず、撮影を行う準備処理として、撮影室において制御装置２０から携帯端末１０に撮影オーダ情報を取得させる撮影準備処理について説明する。
【００７１】
図６（ａ）は、制御装置２０のＣＰＵ２１により実行される撮影準備処理を示すフローチャートである。図６（ａ）に示すように、ＣＰＵ２１は、技師により入力部２２を介して撮影オーダ情報の送信指示が入力されると（ステップＳ１）、Ｉ／Ｆ２７を制御して、携帯端末１０が通信端末１０−１に装着されているか否かを判別する（ステップＳ２）。ここで、通信端末１０−１に携帯端末１０が装着されていない場合（ステップＳ２；ＮＯ）、ＣＰＵ２１は、表示部２３にエラー表示を行い、本撮影準備処理を終了する。
【００７２】
一方、通信端末１０−１に携帯端末１０が装着されている場合（ステップＳ２；ＹＥＳ）、ＣＰＵ２１は、記憶装置２６から撮影オーダ情報を取得し、通信端末１０−１を介して撮影オーダ情報を携帯端末１０に送信する（ステップＳ３）。そして、ＣＰＵ２１は、送信済み撮影オーダ情報の送信フラグをＯＮに設定して（ステップＳ４）、本撮影オーダ情報送信処理を終了する。
【００７３】
図６（ｂ）は、携帯端末１０のＣＰＵ１１により実行される撮影準備処理を示すフローチャートである。図６（ｂ）に示すように、携帯端末１０は、撮影オーダ情報を取得するため、通信端末１０−１に装着される（ステップＳ１１）。
【００７４】
次いで、ＣＰＵ１１は、Ｉ／Ｆ１４を制御して、制御装置２０から送信される撮影オーダ情報を受信する（ステップＳ１２）。そして、ＣＰＵ１１は、受信した撮影オーダ情報を記憶装置１６の撮影オーダ情報ファイル１６１に記憶させ（ステップＳ１３）、本撮影オーダ情報取得処理を終了する。
【００７５】
上述した撮影準備処理において、制御装置２０の表示部２３に表示される表示画面について図７〜図９を参照して説明する。
【００７６】
図７は、所望の処理を選択するためのメニュー画面２３１を示す図である。図７に示すように、メニュー画面２３１には、システムメニューとして、「システムの状態」、「技師選択」、「検査履歴」、「ユーティリティ」、「画面形式」、「運用形態」の各メニューを指示する指示釦が設けられている。また、「画面形式」、「運用形態」の指示釦には、入力項目が設けられ、例えば、「運用形態」の入力項目に「ポータブル」を入力して、当該釦を指示すると、ポータブル撮影装置４０にて撮影を行う場合のポータブルモード画面が表示される。なお、この「運用形態」の入力項目に「通常」を入力すると、通常の撮影室で撮影を行う場合の通常モード画面が表示される。
【００７７】
図８は、ポータブルモードにおいて、撮影オーダ情報が一覧表示されるポータブルリスト画面２３２を示す図である。図８に示すように、ポータブルリスト画面２３２には、撮影オーダ情報を表示する領域と、各種指示を入力する指示釦を表示する領域とが設けられている。撮影オーダ情報を表示する領域には、撮影オーダ情報の一部として、患者ＩＤ、タブ種別、氏名、性別、生年月日、撮影部位、撮影数、保留を表示する項目が設けられ、各項目には、それぞれ対応するデータが表示されている。
【００７８】
また、ポータブルリスト画面２３２の右端及び下端において、各種指示を入力する指示釦を表示する領域には、選択キーの他、「送信」、「受信」、「新規／検索」、「修正」、「削除」、…、「確認画面」のテキストデータが表示された指示釦が設けられ、各指示釦が入力部２２を介して操作されることにより、対応する指示が入力される。例えば、ポータブルリスト画面２３２に表示されている撮影オーダ情報が選択キーにより選択され、「送信」指示釦が操作されると、選択された撮影オーダ情報が携帯端末１０に送信される。ここで、撮影オーダ情報が携帯端末１０に送信されると、当該撮影オーダ情報の送信終了フラグがＯＮに設定され、「タブ種別」の項目には、送信済みのチェックフラグ「→」が表示される。また、「新規／検索」指示釦が操作されると、撮影オーダ情報を新規に登録するための入力画面２３３，２３４が表示される。
【００７９】
図９は、上述したポータブルリスト画面２３２において、「新規／検索」指示釦が操作された場合に表示される入力画面２３３，２３４を示す図である。図９（ａ）は、撮影オーダ情報のうち、患者情報を新規に入力するための入力画面２３３を示す図である。図９（ａ）に示すように、入力画面２３２には、患者情報を入力する領域と、文字入力を行うための文字キーを表示する領域とが設けられている。
【００８０】
入力画面２３３の上段に表示される患者情報を入力する領域には、患者ＩＤ、患者氏名（ローマ字、カナ、漢字）、性別、生年月日、コメントを入力する項目が設けられており、入力部２２の操作に応じて入力されたデータが対応する項目に表示される構成となっている。また、入力画面２３３の下段に表示される文字キーを表示する領域においては、当該表示された文字キーに対応するキー入力が入力部２２の備えるマウスやタッチパネルを介して行われる。なお、キー入力は、入力部２２の備えるキーボードを介して行うことも可能である。
【００８１】
図９（ｂ）は、撮影オーダ情報のうち、撮影情報を新規に入力するための入力画面２３４を示す図である。図９（ｂ）に示すように、撮影情報入力画面２３４には、撮影条件として撮影部位を指示する指示釦を表示する領域と、撮影部位における撮影方向を指示する指示釦を表示する領域と、入力された撮影部位及び撮影方向を表示する領域とが設けられている。
【００８２】
入力画面２３４の左側上段に表示される撮影部位の指示釦を表示する領域には、例えば、「頭部」、「頚部」、…、「ＴＥＳＴ」のテキストデータが表示された指示釦が設けられ、各指示釦が入力部２２を介して指示されることにより、対応する撮影部位が選択される。また、入力画面２３４の左側中段に表示される撮影方向の指示釦を表示する領域には網掛け表示が行われ、ポータブルモードでは、選択不可能な構成となっている。すなわち、当該領域に表示される撮影部位は、ポータブル撮影装置４０により、撮影不可能な撮影部位であることを示している。なお、選択不可能な表示方法として、網掛け表示の他に、非表示又は非アクティブ表示とすることも可能である。また、選択不可能な指示釦が指示された場合に、音声や画像により警告を出力する構成であってもよい。
【００８３】
また、入力画面２３４の左側下段に表示される撮影方向の指示釦を表示する領域には、例えば、「胸部  他」の撮影部位における撮影方向として、「斜位」、…、「じん肺」のテキストデータが表示された指示釦が設けられ、各指示釦が入力部２２を介して指示されることにより、対応する撮影方向が選択される。さらに、入力画面２３３の右側に表示される撮影部位及び撮影方向を表示する領域には、上述した指示釦が指示されることにより選択された撮影部位及び撮影方向が、例えば、「胸部  他  斜位」として表示される。
【００８４】
次に、撮影の開始前に撮影を行う病室において、携帯端末１０により患者ＩＤと撮影オーダ情報との対応付けを行い、撮影オーダ情報と技師ＩＤ、カセッテＩＤ及び撮影装置ＩＤを対応付けて記憶する撮影開始処理について説明する。
【００８５】
図１０は、携帯端末１０のＣＰＵ１１により実行される撮影開始処理を示すフローチャートである。図１０に示すように、ＣＰＵ１１は、バーコードリーダ１７を制御して、患者のベッドサイド又は患者の身体の一部に付帯されたバーコードを読み取り、患者ＩＤを取得する（ステップＳ２１）。次いで、ＣＰＵ１１は、読み取った患者ＩＤに対応する撮影オーダ情報を記憶装置１６から取得する（ステップＳ２２）。
【００８６】
続いて、ＣＰＵ１１は、取得した撮影オーダ情報を表示部１３に表示させるとともに（ステップＳ２３）、バーコードリーダ１７を制御して、撮影を行う技師、カセッテ５０、ポータブル撮影装置４０にそれぞれ付帯されたバーコードを読み取り、技師ＩＤ、カセッテＩＤ、撮影装置ＩＤを取得する（ステップＳ２４）。そして、ＣＰＵ１１は、取得した技師ＩＤ、カセッテＩＤ、撮影装置ＩＤを、撮影オーダ情報に対応付けて記憶装置１６に記憶させ（ステップＳ２５）、本撮影開始処理を終了する。
【００８７】
上述した撮影開始処理において、携帯端末１０の表示部１３に表示される表示画面について図１１を参照して説明する。図１１（ａ）は、携帯端末１０に登録された患者を一覧表示する患者リスト画面１３１を示す図である。図１１（ａ）に示すように、患者リスト画面１３１には、患者情報を示す領域が設けられ、この領域には、患者ＩＤ、患者の氏名、病棟を表示する項目が設けられている。具体的に、患者ＩＤの項目には、「０００１」の数字データが表示され、氏名の項目には、「山田  一郎」のテキストデータが表示されている。
【００８８】
図１１（ｂ）は、携帯端末１０のバーコードリーダ１７により、患者ＩＤが取得された場合に、対応する患者の撮影オーダ情報を表示する表示画面１３２を示す図である。図１１（ｂ）に示すように、表示画面１３２には、患者情報を表示する領域と、撮影情報を表示する領域とが設けられている。患者情報を表示する領域には、患者氏名、患者ＩＤ、性別、年齢、病棟、病室を表示する項目が設けられ、各項目には、対応するデータが表示されている。
【００８９】
また、撮影情報を表示する領域には、撮影部位、カセッテＩＤ、技師ＩＤ、撮影装置ＩＤを表示する項目が設けられており、カセッテＩＤ、技師ＩＤ、撮影装置ＩＤの項目には、携帯端末１０のバーコードリーダ１７により取得されたデータが、読み取りと同時に表示される構成となっている。具体的に、撮影部位の項目には、「胸部  他  斜位」のテキストデータが表示され、カセッテＩＤの項目には、「０４０００１０８０２２０１６」の数字データが表示されている。また、技師ＩＤの項目には、「ｓｕｚｕｋｉ７７７」のテキストデータ及び数字データが表示され、撮影装置ＩＤの項目には、「Ａ１０１０１０」のテキストデータ及び数字データが表示されている。
【００９０】
続いて、撮影終了後、制御装置２０において、携帯端末１０から撮影済みの撮影オーダ情報に対応付けられた技師ＩＤ、カセッテＩＤ及び撮影装置ＩＤを取得するとともに、医用画像読取装置３０から読み取られた医用画像、カセッテＩＤ及び読取装置ＩＤを取得する撮影終了後処理について説明する。
【００９１】
図１２は、制御装置２０のＣＰＵ２１により実行される撮影終了後処理を示すフローチャートである。図１２に示すように、ＣＰＵ２１は、通信端末１０−１を介して、携帯端末１０から撮影済みの撮影オーダ情報に対応付けられた技師ＩＤ、カセッテＩＤ、撮影装置ＩＤを受信すると（ステップＳ３１；ＹＥＳ）、撮影オーダ情報に対応付けて技師ＩＤ、カセッテＩＤ、撮影装置ＩＤを撮影履歴管理ファイル２６１に記憶させる（ステップＳ３２）。そして、ＣＰＵ２１は、技師ＩＤ、カセッテＩＤ、撮影装置ＩＤを受信した撮影オーダ情報について、受信終了フラグをＯＮに設定する（ステップＳ３３）。
【００９２】
次いで、ＣＰＵ２１は、医用画像読取装置３０から医用画像、カセッテＩＤ、読取装置ＩＤを受信すると（ステップＳ３４；ＹＥＳ）、カセッテＩＤに基づいて、受信した読取装置ＩＤを撮影オーダ情報に対応付けて撮影履歴管理ファイル２６１に記憶させる（ステップＳ３５）。また、ＣＰＵ２１は、医用画像に対応付けられたカセッテＩＤと、撮影オーダ情報に対応付けられたカセッテＩＤに基づいて、医用画像と撮影オーダ情報とを対応付けて記憶装置２６に記憶させる（ステップＳ３）。
【００９３】
さらに、ＣＰＵ２１は、医用画像に対応する技師ＩＤ、カセッテＩＤ、撮影装置ＩＤ、読取装置ＩＤを、付帯情報として当該医用画像に付加させる（ステップＳ３７）。ここで、医用画像に付加される付帯情報は、ＤＩＣＯＭ規格に従って付加されることが望ましい。そして、ＣＰＵ２１は、受信した医用画像を表示部２３に表示させ（ステップＳ３８）、本撮影終了後処理を終了する。
【００９４】
図１３を参照して、制御装置２０の表示部２３に表示される医用画像について説明をする。図１３は、携帯端末１０を利用して撮影を行った場合に、表示部２３に表示されるポータブル処理画面２３５を示す図である。図１３に示すように、ポータブル処理画面２３５には、同一の携帯端末１０に登録された複数の患者の医用画像が同一画面に表示される構成となっている。
【００９５】
すなわち、ポータブル処理画面２３５には、技師情報を表示する領域と、患者毎に患者情報、医用画像、撮影情報を表示する領域とが設けられ、同一画面には、４種類の医用画像が表示可能な構成となっている。具体的に、ポータブル処理画面２３５の左上端の技師情報を表示する領域には、技師の氏名として「スズキタロウ」のテキストデータを表示する項目と、技師ＩＤとして「ｓｕｚｕｋｉ７７７」のテキストデータ及び数字データを表示する項目とが設けられている。また、患者毎に表示される医用画像として、左端に表示されている医用画像について説明すると、患者情報を表示する領域には、患者ＩＤとして「０００１」の数字データを表示する項目と、氏名として「山田  一郎」のテキストデータを表示する項目とが設けられている。
【００９６】
その下部には、医用画像を表示する領域が設けられ、医用画像と、読取装置ＩＤとして「Ｆ１２１００１２」の数字データを表示する項目と、解像度として「通常」のテキストデータを表示する項目とが設けられている。さらに、その下部には、撮影情報を表示する領域が設けられ、撮影部位として「胸部  他  斜位」のテキストデータを表示する項目と、カセッテＩＤとして「０１０００１０８０２２０１６」の数字データを表示する項目と、撮影装置ＩＤとして「Ａ１０１０１０」のテキストデータ及び数字データを表示する項目とが設けられている。
【００９７】
また、撮影情報を表示する領域の下部には、「ＮＧ」又は「ＯＫ」を入力する指示釦が設けられ、表示された医用画像の異常の有無を入力する。すなわち、医用画像に異常が発生していた場合に、入力部２２を介して「ＮＧ」指示釦が指示されると、対応する医用画像の撮影履歴管理ファイル２６１のエラーフラグがＯＮに設定され、エラー情報として記憶される。
【００９８】
なお、制御制御２０は、異常の有無が記憶された撮影履歴管理ファイル２６１に基づいて、エラーフラグがＯＮに設定されている医用画像について、技師ＩＤ、カセッテＩＤ、撮影装置ＩＤ、読取装置ＩＤ等の識別情報を一覧表示させることができる。この際、例えば、各識別情報毎に異常が発生した医用画像をソートして表示させることが可能である。これにより、異常が頻繁に生じる技師、カセッテ、撮影装置、読取装置を統計的に抽出して、異常の原因を的確に特定し、速やかに原因の解消を図ることができる。
【００９９】
以上のように、本実施の形態の医用画像撮影システム１００によれば、撮影準備として、撮影を行うための撮影オーダ情報を制御装置２０から携帯端末１０に送信して記憶させ、撮影開始時に撮影を行う患者の患者ＩＤ、撮影を行う技師の技師ＩＤ、医用画像を記録するカセッテＩＤ、医用画像を記録する撮影装置ＩＤを読み取り、撮影オーダ情報との対応付けを行う。また、撮影終了後、携帯端末１０から撮影オーダ情報に対応付けて技師ＩＤ、カセッテＩＤ、撮影装置ＩＤを制御装置２０に送信する。一方、医用画像読取装置４０において、医用画像を記録したカセッテ５０から医用画像及びカセッテＩＤを読み取り、医用画像にカセッテＩＤ及び読取装置ＩＤを対応付けて制御装置２０に送信する。そして、制御装置２０において、撮影オーダ情報に対応付けて、技師ＩＤ、カセッテＩＤ、撮影装置ＩＤ、読取装置ＩＤを撮影履歴管理ファイル２６１に記憶させるとともに、カセッテＩＤに基づいて撮影オーダ情報と医用画像とを対応付けて管理する。
【０１００】
これにより、医用画像の撮影に関与した技師、カセッテ、撮影装置、読取装置を明確にすることができるため、医用画像に異常が発生した場合、異常の原因を速やかに特定して、原因を解消することができる。また、医用画像に、上述した技師ＩＤ、カセッテＩＤ、撮影装置ＩＤ、読取装置ＩＤを付帯情報として付加させ、撮影オーダ情報と対応付けて管理するため、各識別情報と医用画像の対応関係が明確になり管理が容易である。
【０１０１】
また、撮影履歴管理ファイル２６１は、医用画像に異常が発生し、技師によりＮＧが入力された場合に、対応する医用画像のエラーフラグをＯＮに設定し、異常の発生をエラー情報として記憶する。これにより、例えば、撮影履歴管理ファイル２６１に基づいて、異常が発生した医用画像の撮影に関与した、技師、カセッテ、撮影装置、読取装置の識別情報を表示させることができるため、統計的に異常の発生している原因を究明することができる。
【０１０２】
なお、上述した本実施の形態における記述は、本発明に係る好適な医用画像撮影システム及び医用画像管理方法の一例であり、これに限定されるものではない。
【０１０３】
例えば、上述した医用画像撮影システム１００のシステム構成は一例であり、これに限定されるものではない。図１４に示す医用画像撮影システム２００のように、携帯端末１０と、制御装置２０との通信を制御する通信端末１０−１は、制御装置２０に直接接続される構成でなくてもよく、ネットワークＮに接続され、ネットワークＮを介して、複数の制御装置２０と任意に通信可能な構成であってもよい。
【０１０４】
この医用画像撮影システム２００において、制御装置２０から携帯端末１０に送信される撮影オーダ情報には、撮影済みの撮影オーダ情報に対応付けられたカセッテＩＤの送信先（例えば、ネットワーク上のコンピュータを識別するためのＩＰアドレス等）を含むことが好ましい。すなわち、ネットワークＮに接続される複数の制御装置２０に対して任意に情報が送信可能であるため、通信端末１０−１への装着を検出した携帯端末１０のＣＰＵ１１は、撮影オーダ情報からカセッテＩＤの送信先を取得し、取得した送信先に対応する制御装置２０に撮影オーダ情報に対応付けられたカセッテＩＤを送信する。
【０１０５】
また、携帯端末１０は、撮影オーダ情報を受信した制御装置２０の識別情報を記憶しておき、制御装置２０から受信した撮影オーダ情報に送信先が含まれていない場合、当該撮影オーダ情報を受信した制御装置２０に撮影オーダ情報に対応付けられたカセッテＩＤを送信する構成であってもよい。或いは、携帯端末１０の操作部１２から送信先を入力し、当該指定された送信先に必要な情報を送信する構成であってもよい。
【０１０６】
この構成によれば、病院内のどこにいても、所望の制御装置２０に携帯端末１０から情報を送信することができるため、例えば、早急に情報が必要になった場合、速やかに必要な情報を送信することができる。また、携帯端末１０の記憶装置１６の容量を越えそうな場合であっても、制御装置２０が設置されている撮影室まで行くことなく、速やかに情報を送信して、データのバックアップを図ることができ、利便性がよい。
【０１０７】
また、技師ＩＤ、カセッテＩＤ、撮影装置ＩＤ等は、携帯端末１０のバーコード１７により取得する構成としたがこれに限らず、技師のＩＤカード、カセッテ５０、ポータブル撮影装置４０に、各識別情報を記録したＩＣチップを備え、ＩＣチップに記録された識別情報を携帯端末１０により取得する構成であってもよい。この場合、携帯端末１０には、ＩＣリーダ（図示せず）を備える構成とする。
【０１０８】
また、撮影履歴管理ファイル２６１に記憶される情報は、上述した例に限定されず、種々の情報を記憶可能である。例えば、撮影履歴管理ファイルに、撮影オーダ情報を記憶する構成であってもよく、その他撮影に関与した事象に関する情報として、携帯端末１０の識別番号、通信端末１０−１の識別番号、画像処理時の画像処理条件、画像処理を行った技師ＩＤ等を撮影オーダ情報に対応付けて記憶する構成であってもよい。また、撮影オーダ情報との対応付けは、撮影ＩＤ、カセッテＩＤ、患者ＩＤ等、種々の情報に基づいて行われる構成であってよい。また、撮影オーダ情報と医用画像との対応関係も同様に種々の情報に基づいてその対応関係が明確であればよい。
【０１０９】
さらに、技師ＩＤ、カセッテＩＤ、撮影装置ＩＤの取得時期は、上述した例に限定されず、撮影オーダ情報との対応関係が明確であれば、任意の時期に取得可能である。例えば、撮影準備処理において、制御装置２０から携帯端末１０に送信される撮影オーダ情報の中に技師ＩＤが含まれる構成であってもよく、この場合、撮影開始処理において、携帯端末１０は技師ＩＤの認証のみを行う構成であってもよい。或いは、カセッテＩＤを撮影終了後に登録する後登録である場合、撮影開始前にカセッテＩＤが取得されない構成であってもよい。
【０１１０】
その他、本実施の形態における医用画像撮影システム１００，２００の各構成要素の細部構成、及び細部動作に関しては、本発明の趣旨を逸脱することのない範囲で適宜変更可能であることは勿論である。
【０１１１】
【発明の効果】
請求項１又は５記載の発明によれば、撮影オーダ情報に対応付けて、撮影を行った技師の識別情報、医用画像を記録したカセッテの識別情報、医用画像を記録した撮影装置の識別情報が記憶されるため、撮影に関与した技師、カセッテ、撮影装置を速やかに特定することができる。これにより、医用画像に異常が発生した場合に、撮影履歴管理ファイルに基づいて、撮影に関与した技師、カセッテ、撮影装置の何れかに原因があるのかを特定することができ、速やかに異常発生の原因を解消することができる。
【０１１２】
請求項２又は６記載の発明によれば、撮影オーダ情報に対応付けて、撮影に関与した技師、カセッテ、撮影装置、読取装置を撮影履歴管理ファイルに記憶させて、管理するとともに、撮影オーダ情報に対応付けて医用画像を管理することができる。これにより、例えば、医用画像に異常が発生した場合、撮影履歴管理ファイルに基づいて、撮影に関与した技師、カセッテ、撮影装置、読取装置等、種々の要因となる要素を検証して異常の原因を探索することができ、確実に異常発生の原因を解消することができる。
【０１１３】
請求項３又は７記載の発明によれば、医用画像に、カセッテの識別情報、技師の識別情報、撮影装置の識別情報、読取装置の識別情報を付帯情報として付加させ、撮影オーダ情報と対応付けて管理することができるため、医用画像と、各識別情報との対応関係を明確にすることができ、情報の紛失を防止することができる。
【０１１４】
請求項４又は８記載の発明によれば、異常が発生した医用画像について、異常の有無を記憶することにより、異常が発生した医用画像に基づいて異常の原因を統計的に抽出することができ、容易かつ効率良く医用画像に生じた異常の原因を究明することができる。
【図面の簡単な説明】
【図１】本発明を適用した実施の形態における医用画像撮影システム１００のシステム構成を示す図である。
【図２】図１に示す携帯端末１０の要部構成を示すブロック図である。
【図３】図２の記憶装置１６に記憶される撮影オーダ情報ファイル１６１のデータ構成を示す図である。
【図４】図１に示す制御装置２０の要部構成を示すブロック図である。
【図５】図４の記憶装置２６に記憶される撮影履歴管理ファイルのデータ構成を示す図である。
【図６】（ａ）制御装置２０のＣＰＵ２１により実行される撮影準備処理を示すフローチャートである。（ｂ）携帯端末１０のＣＰＵ１１により実行される撮影準備処理を示すフローチャートである。
【図７】制御装置２０の表示部２３に表示されるメニュー画面の一例を示す図である。
【図８】制御装置２０の表示部２３に表示されるポータブルリスト受信画面の一例を示す図である。
【図９】（ａ）制御装置２０の表示部２３に表示される患者情報を入力するための入力画面の一例を示す図である。
（ｂ）制御装置２０の表示部２３に表示される撮影情報を入力するための入力画面の一例を示す図である。
【図１０】携帯端末１０のＣＰＵ１１により実行される撮影開始処理を示すフローチャートである。
【図１１】（ａ）携帯端末１０の表示部１３に表示される患者リスト画面の一例を示す図である。
（ｂ）携帯端末１０の表示部１３に表示される表示画面の一例を示す図である。
【図１２】制御装置２０のＣＰＵ２１により実行される撮影終了後処理を示すフローチャートである。
【図１３】制御装置２０の表示部２３に表示されるポータブル処理画面の一例を示す図である。
【図１４】本発明を適用した他の形態における医用画像撮影システム２００のシステム構成を示す図である。
【符号の説明】
１００，２００    医用画像撮影システム
１０  携帯端末
１１    ＣＰＵ
１２    操作部
１３    表示部
１４    Ｉ／Ｆ
１５    ＲＡＭ
１６    記憶装置
１７    バーコードリーダ
１８    バス
２０  制御装置
２１    ＣＰＵ
２２    入力部
２３    表示部
２４    通信制御部
２５    ＲＡＭ
２６    記憶装置
２７    Ｉ／Ｆ
２８    バス
３０  医用画像読取装置
４０  ポータブル撮影装置
５０  カセッテ
６０  情報管理装置
Ｎ    ネットワーク
【図１】
2004275479.tif 000003
【図２】
2004275479.tif 000004
【図３】
2004275479.tif 000005
【図４】
2004275479.tif 000006
【図５】
2004275479.tif 000007
【図６】
2004275479.tif 000008
【図７】
2004275479.tif 000009
【図８】
2004275479.tif 000010
【図９】
2004275479.tif 000011
【図１０】
2004275479.tif 000012
【図１１】
2004275479.tif 000013
【図１２】
2004275479.tif 000014
【図１３】
2004275479.tif 000015
【図１４】
2004275479.tif 000016